(57)【要約】      （修正有）【課題】ユーザに対して有益な情報を提示する表示プログラム、表示装置及び表示方法を提供する。【解決手段】表示プログラムは、検出手順と、表示手順とをコンピュータに実行させる。検出手順は、第１コンテンツＣ１内のオブジェクトに対する操作を検出する。表示手順は、検出手順によってオブジェクトに対する操作が検出された場合に、動画像のサムネイルを含む第２コンテンツＣ２を第１コンテンツＣ１と重ねて表示する。【選択図】図２
2020042413.tif 000002
【特許請求の範囲】
【請求項１】
第１コンテンツ内のオブジェクトに対する操作を検出する検出手順と、
前記検出手順によって前記操作が検出された場合に、動画像のサムネイルを含む第２コンテンツを前記第１コンテンツと重ねて表示する表示手順と、
をコンピュータに実行させることを特徴とする表示プログラム。
【請求項２】
前記検出手順は、
検索ボックスである前記オブジェクトに対する前記操作を検出し、
前記表示手順は、
前記検索ボックスによる検索の検索候補である前記動画像のサムネイルを含む前記第２コンテンツを表示する
ことを特徴とする請求項１に記載の表示プログラム。
【請求項３】
前記検出手順は、
前記検索ボックスを文字入力が可能な状態にする前記操作を検出する
ことを特徴とする請求項２に記載の表示プログラム。
【請求項４】
前記検出手順は、
前記オブジェクトに対する選択操作である前記操作を検出する
ことを特徴とする請求項１〜３のうちいずれか１つに記載の表示プログラム。
【請求項５】
前記検出手順は、
前記オブジェクトにカーソルを重ねる操作である前記選択操作を検出する
ことを特徴とする請求項４に記載の表示プログラム。
【請求項６】
前記表示手順は、
前記オブジェクトに対応する位置に前記第２コンテンツを前記第１コンテンツと重ねて表示する
ことを特徴とする請求項１〜５のうちいずれか１つに記載の表示プログラム。
【請求項７】
前記表示手順は、
前記オブジェクトに隣接する前記位置に前記第２コンテンツを前記第１コンテンツと重ねて表示する
ことを特徴とする請求項６に記載の表示プログラム。
【請求項８】
前記検出手順は、
動画像配信サーバから配信される動画像が提供される前記第１コンテンツ内の前記オブジェクトに対する前記操作を検出し、
前記表示手順は、
前記動画像配信サーバから配信される動画像のサムネイルを含む前記第２コンテンツを前記第１コンテンツと重ねて表示する
ことを特徴とする請求項１〜７のうちいずれか１つに記載の表示プログラム。
【請求項９】
前記検出手順は、
ユーザによる前記操作を検出し、
前記表示手順は、
前記ユーザのユーザ情報に基づいて提案される動画像のサムネイルを含む前記第２コンテンツを前記第１コンテンツと重ねて表示する
ことを特徴とする請求項１〜７のうちいずれか１つに記載の表示プログラム。
【請求項１０】
第１コンテンツ内のオブジェクトに対する操作を検出する検出部と、
前記検出部によって前記操作が検出された場合に、動画像のサムネイルを含む第２コンテンツを前記第１コンテンツと重ねて表示する表示部と、
を備えることを特徴とする表示装置。
【請求項１１】
表示装置が実行する表示方法であって、
第１コンテンツ内のオブジェクトに対する操作を検出する検出工程と、
前記検出工程によって前記操作が検出された場合に、動画像のサムネイルを含む第２コンテンツを前記第１コンテンツと重ねて表示する表示工程と、
を含むことを特徴とする表示方法。
【発明の詳細な説明】
【技術分野】
【０００１】
本発明は、表示プログラム、表示装置及び表示方法に関する。
【背景技術】
【０００２】
従来、コンテンツ内のオブジェクトに対する操作に連動して、オブジェクトに関連する情報を提示する技術が提案されている。例えば、テキストが検索ボックスに入力された場合に、入力されたテキストに関連するサジェストワードとともに、サジェストワードに対応するロゴ画像を提示する技術が提案されている。
【先行技術文献】
【特許文献】
【０００３】
【特許文献１】国際公開第２０１６／０７９８４９号
【発明の概要】
【発明が解決しようとする課題】
【０００４】
しかしながら、上記の従来技術では、ユーザに対して有益な情報を提示できるとは限らない。例えば、上記の従来技術では、ユーザが検索ボックスに入力されるキーワードを想起できない場合には、ユーザに対して有益な情報を提示できない。
【０００５】
本願は、上記に鑑みてなされたものであって、ユーザに対して有益な情報を提示することを目的とする。
【０００６】
本願に係る表示プログラムは、第１コンテンツ内のオブジェクトに対する操作を検出する検出手順と、前記検出手順によって前記操作が検出された場合に、動画像のサムネイルを含む第２コンテンツを前記第１コンテンツと重ねて表示する表示手順と、をコンピュータに実行させることを特徴とする。
【発明の効果】
【０００７】
実施形態の一態様によれば、ユーザに対して有益な情報を提供することができるという効果を奏する。
【図面の簡単な説明】
【０００８】
【図１】図１は、実施形態に係るネットワークシステムの構成例を示す図である。
【図２】図２は、実施形態に係る表示処理の一例を示す図である。
【図３】図３は、実施形態に係る端末装置の構成例を示す図である。
【図４】図４は、実施形態に係る端末装置による表示処理手順を示すフローチャートである。
【図５】図５は、ハードウェア構成の一例を示す図である。
【発明を実施するための形態】
【０００９】
以下に、本願に係る表示プログラム、表示装置及び表示方法を実施するための形態（以下、「実施形態」と呼ぶ）について図面を参照しつつ詳細に説明する。なお、この実施形態により本願に係る表示プログラム、表示装置及び表示方法が限定されるものではない。また、各実施形態は、処理内容を矛盾させない範囲で適宜組み合わせることが可能である。また、以下の各実施形態において同一の部位には同一の符号を付し、重複する説明は省略する。
【００１０】
〔１．ネットワークシステムの構成〕
まず、図１を参照して、実施形態に係るネットワークシステム１の構成について説明する。図１は、実施形態に係るネットワークシステム１の構成例を示す図である。図１に示すように、実施形態に係るネットワークシステム１には、提供装置１０と、配信装置２０と、端末装置１００とが含まれる。提供装置１０、配信装置２０および端末装置１００は、それぞれネットワークＮと有線又は無線により接続される。図１中では図示していないが、ネットワークシステム１は、複数台の提供装置１０や、複数台の配信装置２０や、複数台の端末装置１００を含んでもよい。
【００１１】
端末装置１００は、ユーザによって利用される情報処理装置である。端末装置１００は、デスクトップ型ＰＣ（Personal  Computer）、ノート型ＰＣ、スマートフォン、タブレット型ＰＣを含む、任意のタイプの情報処理装置であってもよい。
【００１２】
提供装置１０は、端末装置１００に、各種情報を提供するサーバ装置である。例えば、提供装置１０は、端末装置１００に、動画配信プラットフォームを提供する。一例では、提供装置１０は、ブラウザを介して、端末装置１００に動画配信用コンテンツ（例えば、動画サイト）を提供する。別の例では、提供装置１０は、動画アプリケーション（動画アプリとも呼ばれる）を介して、端末装置１００に動画配信用コンテンツを提供する。提供装置１０は、ネットワークＮを介して、有線又は無線により端末装置１００および配信装置２０と通信を行う。
【００１３】
配信装置２０は、端末装置１００に、動画像を配信するサーバ装置である。例えば、配信装置２０は、端末装置１００に提供された動画配信プラットフォームに、動画像を配信する。配信装置２０は、ネットワークＮを介して、有線又は無線により端末装置１００および提供装置１０と通信を行う。
【００１４】
〔２．表示処理〕
次に、図２を参照して、実施形態に係る表示処理の一例について説明する。図２は、実施形態に係る表示処理の一例を示す図である。
【００１５】
図２の例では、端末装置１００（図示せず）は、ユーザＵ１（図示せず）によって利用される。図２の例では、ユーザＵ１は、テレビドラマを観るのが好きなユーザである。
【００１６】
図２の例では、端末装置１００は、ユーザＵ１の操作に従って、テレビドラマ「ドラマＴＨ１」が提供されるコンテンツＣ１の送信要求を、提供装置１０に送信する。そして、端末装置１００は、送信要求に対する応答として、コンテンツＣ１とともに、制御情報を提供装置１０から受信する。制御情報は、例えば、ＪａｖａＳｃｒｉｐｔ（登録商標）やＣＳＳ（Cascading  Style  Sheets）等のスクリプト言語で記述される。端末装置１００は、制御情報に従って、以下に説明される検知処理および表示処理を実行する。
【００１７】
図２の例では、端末装置１００は、提供装置１０から受信されたコンテンツＣ１を表示する。図２の例では、コンテンツＣ１は、動画配信プラットフォーム上のユーザインタフェースとして示されている。コンテンツＣ１は、検索ボックス、動画のカテゴリ、動画プレイヤといったコンテンツ項目を含むユーザインタフェースである。図２の例では、コンテンツＣ１は、検索ボックスＳＢ１を含む。また、コンテンツＣ１は、動画のカテゴリボタンＣＢ１（例えば、トップ、映画、ドラマ等のボタン）を含む。また、コンテンツＣ１の動画プレイヤは、配信装置２０から配信されたテレビドラマ「ドラマＴＨ１」を再生する。
【００１８】
ところで、図２の例では、ユーザＵ１は、テレビドラマ「ドラマＴＨ１」を観ていたが、途中で飽きてしまった。そこで、ユーザＵ１は、何か面白いテレビドラマを、検索ボックスＳＢ１から検索しようとしている。しかし、ユーザＵ１は、ユーザＵ１がイメージするテレビドラマに適合する検索キーワードを思い浮かぶことができない。以下に説明される表示処理の一例では、端末装置１００は、ユーザＵ１による検索キーワードの入力を受けることなく、テレビドラマの候補をユーザＵ１に提示する。
【００１９】
はじめに、端末装置１００は、ユーザＵ１が検索ボックスＳＢ１をカーソルでクリックした場合に、検索ボックスＳＢ１のクリックイベントを検出する。
【００２０】
次いで、端末装置１００は、検索ボックスＳＢ１のクリックイベントを検出したことに応じて、Ａｊａｘ（Asynchronous  JavaScript（登録商標）  And  XML）等を用いた非同期通信により、ユーザＵ１を識別する識別情報（例えば、Cookie）とともに、コンテンツＣ２の送信要求を提供装置１０に送信する。この場合、提供装置１０は、送信要求および識別情報を受信したことに応じて、例えば、ユーザＵ１のユーザ情報に基づいて、ユーザＵ１に推奨される動画像として、テレビドラマ「ドラマＧＢ１」およびテレビドラマ「ドラマＫＳ１」を特定する。そして、提供装置１０は、特定された動画像のサムネイルを含むコンテンツＣ２を、端末装置１００に送信する。動画像のサムネイルは、サムネイルに対応する動画像が提供されるコンテンツへのリンクを含む。このようにして、提供装置１０は、特定された動画像を視聴することをユーザＵ１に推奨できる。
【００２１】
次いで、端末装置１００は、コンテンツＣ２を提供装置１０から受信する。そして、端末装置１００は、受信されたコンテンツＣ２を、表示されたコンテンツＣ１に重ねて表示する。図２の例では、端末装置１００は、テレビドラマ「ドラマＧＢ１」およびテレビドラマ「ドラマＫＳ１」のサムネイルを含むコンテンツＣ２を、検索ボックスＳＢ１のドロップダウンリストとして、コンテンツＣ１に重ねて表示する。
【００２２】
その後、端末装置１００は、ユーザＵ１が複数の動画像のサムネイルのいずれかをクリックした場合に、クリックされたサムネイルのリンク先のコンテンツを表示する。その結果、ユーザＵ１は、サムネイルのリンク先のコンテンツにおいて、サムネイルに対応する動画像を観ることができる。
【００２３】
上述のように、実施形態に係る端末装置１００は、検索ボックスＳＢ１で発生したクリックイベントを検出したことに応じて、ユーザＵ１に推奨される動画像のサムネイルを含むドロップダウンリストを、サジェストとして表示する。これにより、実施形態に係る端末装置１００は、ユーザＵ１が検索キーワードを思い浮かぶことができない場合においても、ユーザＵ１が、ユーザＵ１が関心を持つ動画像を検索することを可能にする。
【００２４】
また、上述のように、端末装置１００は、ユーザＵ１によるキーワードの入力を受けることなく、ユーザＵ１の嗜好に適した動画像の候補を表示する。これにより、端末装置１００は、キーワードを用いた動画像検索に伴うユーザＵ１の負担を軽減することができる。以下、このような表示処理を実現する端末装置１００について詳細に説明する。
【００２５】
〔３．表示処理のバリエーション〕
端末装置１００の実施形態は、上記で説明された表示処理の一例に限定されない。そこで、以下では、端末装置１００によって実行される表示処理のバリエーションについて説明する。
【００２６】
〔３−１．カーソルのオブジェクトへの重畳〕
上記実施形態では、端末装置１００は、第１コンテンツ（例えば、図２のコンテンツＣ１）内のオブジェクトに対する選択操作として、クリック操作を検出しているが、これに限定されるものではない。端末装置１００は、オブジェクトにカーソルを重ねる操作である選択操作を検出してもよい。
【００２７】
例えば、端末装置１００は、オブジェクトにフォーカスを当てるフォーカス操作を検出してもよい。また、例えば、端末装置１００は、オブジェクトにカーソルをホバーする操作を検出してもよい。言い換えると、端末装置１００は、オブジェクトにマウスオーバーする操作を検出してもよい。これにより、端末装置１００は、何か面白い動画像が第１コンテンツにあるかを調べているユーザに対して、ユーザが関心を持つ可能性の高い動画像を提示することができる。
【００２８】
〔３−２．第１コンテンツ内のリンク領域に対する操作〕
上記実施形態では、端末装置１００は、検索ボックスであるオブジェクト（例えば、図２の検索ボックスＳＢ１）に対する操作を検出しているが、これに限定されるものではない。端末装置１００は、第１コンテンツ（例えば、図２のコンテンツＣ１）内のリンク領域に対する操作を検出してもよい。
【００２９】
例えば、端末装置１００は、所定のカテゴリの動画像の一覧が表示されるコンテンツへのリンクが張られたリンク領域（例えば、図２のカテゴリボタンＣＢ１）に対する操作を検出する。例えば、端末装置１００は、リンク領域にカーソルを重ねる操作を検出する。このようなリンク領域は、例えば、動画像のカテゴリを示すボタン、テキスト、または画像である。端末装置１００は、リンク領域に対する操作が検出された場合に、リンク領域に隣接する位置に第２コンテンツを第１コンテンツと重ねて表示する。
【００３０】
端末装置１００は、動画像のカテゴリを示すオブジェクトにカーソルを重ねる操作が検出された場合に、かかるカテゴリに対応する動画像サムネイルを含む第２コンテンツを、第１コンテンツと重ねて表示してもよい。例えば、端末装置１００は、動画像のカテゴリを示すボタンにカーソルを重ねる操作が検出された場合に、Ａｊａｘ等を用いた非同期通信により、かかる動画像のカテゴリを示すカテゴリ情報を、提供装置１０に送信する。この場合、提供装置１０は、カテゴリ情報を受信したことに応じて、かかる動画像のカテゴリに対応する動画像サムネイルを含む第２コンテンツを、端末装置１００に送信する。その結果、端末装置１００は、かかる第２コンテンツを受信し、受信された第２コンテンツを、第１コンテンツと重ねて表示することができる。
【００３１】
一例では、端末装置１００は、カテゴリ「アニメ」を示すボタンにカーソルを重ねる操作が検出された場合に、非同期通信により、カテゴリを示すカテゴリ情報を、提供装置１０に送信する。この例では、端末装置１００は、カテゴリ「アニメ」に対応する動画像サムネイルを含む第２コンテンツを受信し、受信された第２コンテンツを、第１コンテンツと重ねて表示する。これにより、端末装置１００は、動画像をカテゴリの一覧から探そうとしているユーザに対して、ユーザが関心を持つ可能性の高い動画像を提示することができる。
【００３２】
〔３−３．カーソルの移動〕
端末装置１００は、カーソルが動画プレイヤの表示領域から遠ざかるように、カーソルを移動させるカーソル操作を検出してもよい。端末装置１００は、かかるカーソル操作が検出された場合に、第２コンテンツ（例えば、図２のコンテンツＣ２）を第１コンテンツ（例えば、図２のコンテンツＣ１）と重ねて表示する。例えば、端末装置１００は、第１コンテンツの下端または上端に、第２コンテンツを第１コンテンツと重ねて表示する。端末装置１００は、カーソルに隣接する位置に、第２コンテンツを、ポップアップ画面として表示してもよい。
【００３３】
〔３−４．動画像を提示するためのユーザインタフェース〕
端末装置１００は、動画像のサムネイルを含む画像である第２コンテンツ（例えば、図２に例示されたコンテンツＣ２）を第１コンテンツと重ねて表示してもよい。端末装置１００は、動画像のサムネイルのカルーセルである第２コンテンツを第１コンテンツと重ねて表示してもよい。端末装置１００は、動画像に対応するＧＩＦ（Graphics  Interchange  Format）動画を含む第２コンテンツを第１コンテンツと重ねて表示してもよい。
【００３４】
〔３−５．ユーザ情報と選択されたオブジェクトとに対応する第２コンテンツ〕
端末装置１００は、端末装置１００のユーザのユーザ情報と、選択されたオブジェクトとに基づいて提案される動画像のサムネイルを含む第２コンテンツを、第１コンテンツと重ねて表示してもよい。
【００３５】
一例では、端末装置１００は、カテゴリ「ライブ」を示すボタンにカーソルを重ねる操作が検出された場合に、非同期通信により、ユーザを識別する識別情報とともに、カテゴリを示すカテゴリ情報を、提供装置１０に送信する。この例では、提供装置１０は、ユーザの動画の視聴履歴に基づいて、ユーザの音楽に関する嗜好として、キーワード「テクノ」を特定する。そして、提供装置１０は、カテゴリ「ライブ」とキーワード「テクノ」とに基づいて、テクノコンサートのライブの動画像を特定し、特定された動画像のサムネイルを含む第２コンテンツを、端末装置１００に送信する。その結果、端末装置１００は、テクノコンサートのライブのサムネイルを含む第２コンテンツを、第１コンテンツと重ねて表示することができる。
【００３６】
〔４．端末装置の構成〕
次に、図３を参照して、実施形態に係る端末装置１００の構成例について説明する。図３は、実施形態に係る端末装置１００の構成例を示す図である。図３に示すように、端末装置１００は、通信部１１０と、入力部１２０と、出力部１３０と、制御部１４０とを有する。
【００３７】
（通信部１１０）
通信部１１０は、例えば、ＮＩＣ（Network  Interface  Card）等によって実現される。通信部１１０は、ネットワーク網と有線又は無線により接続され、ネットワーク網を介して、提供装置１０および配信装置２０との間で情報の送受信を行う。
【００３８】
（入力部１２０）
入力部１２０は、端末装置１００のユーザから各種操作を受け付ける入力装置である。例えば、入力部１２０は、キーボードやマウスや操作キー等によって実現される。
【００３９】
（出力部１３０）
出力部１３０は、各種情報を表示するための表示装置である。例えば、出力部１３０は、液晶ディスプレイ等によって実現される。なお、端末装置１００にタッチパネルが採用される場合には、入力部１２０と出力部１３０とは一体化される。
【００４０】
（制御部１４０）
制御部１４０は、コントローラ（controller）であり、例えば、ＣＰＵ（Central  Processing  Unit）、ＭＰＵ（Micro  Processing  Unit）等のプロセッサによって、端末装置１００内部の記憶装置に記憶されている各種プログラム（表示プログラムの一例に相当）がＲＡＭ等を作業領域として実行されることにより実現される。例えば、この各種プログラムは、ウェブブラウザと呼ばれるアプリケーションプログラムに該当する。また、制御部１４０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００４１】
（取得部１４１）
取得部１４１は、端末装置１００のユーザの操作に従って、コンテンツの送信要求を、提供装置１０に送信する。取得部１４１は、端末装置１００のユーザを識別する識別情報（例えば、Cookie）とともに、コンテンツの送信要求を、提供装置１０に送信してもよい。
【００４２】
取得部１４１は、コンテンツとともに、コンテンツの表示態様を制御する制御情報を取得する。例えば、取得部１４１は、コンテンツと、かかるコンテンツに対応する制御情報とを、提供装置１０から受信する。制御情報は、例えば、ＪａｖａＳｃｒｉｐｔ（登録商標）やＣＳＳ等のスクリプト言語で記述されるプログラムである。
【００４３】
制御情報は、例えば、取得手順と、検出手順と、表示手順とを端末装置１００に実行させる。取得手順は、例えば、動画像のサムネイルを含む第２コンテンツを取得する手順である。検出手順は、例えば、第１コンテンツ内のオブジェクトに対する操作を検出する手順である。表示手順は、例えば、検出手順によって第１コンテンツ内のオブジェクトに対する操作が検出された場合に、動画像のサムネイルを含む第２コンテンツを第１コンテンツと重ねて表示する手順である。
【００４４】
取得部１４１は、取得された制御情報に従って、動画像のサムネイルを含む第２コンテンツ（例えば、図２のコンテンツＣ２）を取得する。例えば、取得部１４１は、第１コンテンツ（例えば、図２のコンテンツＣ１）内のオブジェクトに対する操作が検出された場合に、第２コンテンツの送信要求を提供装置１０に送信する。より具体的には、取得部１４１は、第１コンテンツ内のオブジェクトに対する操作が検出された場合に、Ａｊａｘ等を用いた非同期通信により、第２コンテンツの送信要求を提供装置１０に送信する。そして、取得部１４１は、送信要求に対する応答として、動画像のサムネイルを含む第２コンテンツを提供装置１０から受信する。
【００４５】
取得部１４１は、検出部１４２によって、第１コンテンツ内のオブジェクトに対する操作が検出された場合に、Ａｊａｘ等を用いた非同期通信により、端末装置１００のユーザを識別する識別情報とともに、第２コンテンツの送信要求を提供装置１０に送信してもよい。この点に関し、提供装置１０は、端末装置１００から、第２コンテンツの送信要求と、端末装置１００のユーザを識別する識別情報とを受信したことに応じて、端末装置１００のユーザのユーザ情報に基づいて、ユーザに推奨される動画像を特定する。そして、提供装置１０は、特定された動画像のサムネイルを含む第２コンテンツを端末装置１００に送信する。このようにして、取得部１４１は、ユーザ情報に基づいて特定された動画像のサムネイルを含む第２コンテンツを受信することができる。
【００４６】
上記サムネイルに対応する動画像に関しては、提供装置１０は、端末装置１０のユーザのユーザ情報に基づいて、ユーザの嗜好に適した動画像を、ユーザに推奨される動画像として特定してもよい。例えば、提供装置１０は、提供装置１０が提供する動画サイトまたは動画アプリを介して、端末装置１０のユーザの動画像の視聴履歴を、ユーザ情報として蓄積する。そして、提供装置１０は、ユーザの動画像に関する嗜好を示すユーザ情報に基づいて、ユーザの嗜好に適した動画を、ユーザに推奨される動画像として特定する。
【００４７】
図１に図示された例示的な実施形態において、推奨される動画像は、端末装置１０のユーザのユーザ情報に基づいて特定されている。しかし、推奨される動画像は、特定の動画像に限定されない。
【００４８】
一例では、推奨される動画像は、現在人気がある動画像であってもよい。このような現在人気がある動画像は、例えば、複数のユーザが所定の期間に視聴した動画像の視聴履歴に基づいて特定される。この場合、提供装置１０は、複数のユーザの視聴履歴に基づいて、端末装置１０の識別情報を参照することなく、現在人気がある動画像を、推奨される動画像として特定してもよい。そして、端末装置１０は、推奨される動画像のサムネイルを含むコンテンツを、端末装置１００に送信する。このようにして、提供装置１０は、現在人気がある動画像の推奨（レコメンデーション）を行ってもよい。
【００４９】
別の例では、端末装置１００のユーザが視聴した動画像がシリーズものの動画像である場合には、推奨される動画像は、かかるシリーズものの動画像の続編であってもよい。この例では、提供装置１０は、ユーザの動画像の視聴履歴と、動画像の続編に関する情報（例えば、シリーズのエピソードに対応する識別子を含む情報）に基づいて、動画像の続編を、推奨される動画像として特定してもよい。
【００５０】
さらに別の例では、推奨される動画像は、提供装置１０が提供する動画サイトの提供者が端末装置１００のユーザによって視聴される動画像として所望する動画像であってもよい。この例では、提供装置１０は、動画サイトの提供者がユーザによって視聴される動画像として所望する動画像を示す情報（例えば、提供者によって指定された動画像を示す情報）に基づいて、動画サイトの提供者がユーザによって視聴される動画像として所望する動画像を、推奨される動画像として特定してもよい。
【００５１】
推奨される動画像は、端末装置１００のユーザのデモグラフィック属性に基づいて特定されてもよい。一例では、提供装置１０は、提供装置１０が提供するポータルサイトを介して、ポータルサイトの検索ボックスに入力された検索クエリを受信する。この例では、提供装置１０は、入力された検索クエリに基づいて決定されたデモグラフィック属性を、ユーザ情報として蓄積する。そして、提供装置１０は、ユーザのデモグラフィック属性を示すユーザ情報に基づいて、ユーザの嗜好に適した動画像を特定する。このようにして、ユーザの嗜好に適した動画像が、ユーザのデモグラフィック属性に基づいて特定され得る。
【００５２】
推奨される動画像は、端末装置１００のユーザのネットワーク上の行動を示す行動履歴に基づいて特定されてもよい。例えば、端末装置１００のユーザの商品購入履歴に基づいて特定されてもよい。一例では、提供装置１０は、提供装置１０が提供するショッピングサイトを介して、ショッピングサイトの商品購入履歴を、ユーザ情報として蓄積する。そして、提供装置１０は、ユーザの商品に関する嗜好を示すユーザ情報に基づいて、ユーザの嗜好に適した動画像を特定する。
【００５３】
例えば、ユーザがカレーのルー、ジャガイモ、人参、たまねぎを購入している場合には、提供装置１０は、カレーのレシピ動画像を特定する。また、例えば、シチューのルー、ジャガイモ、人参、たまねぎを購入している場合には、提供装置１０は、シチューのレシピ動画像を特定する。このようにして、ユーザの商品に関する嗜好に適した動画像が、ユーザの商品購入履歴に基づいて特定され得る。
【００５４】
推奨される動画像は、端末装置１００のユーザのユーザ属性と同一のユーザ属性に関連付けられた他のユーザが頻繁に視聴する動画像であってもよい。この場合、提供装置１０は、複数の動画像の各々が上述の他のユーザによって視聴された回数であるユーザ属性毎の視聴回数（例えば、第ｎの動画像が「女性」のユーザによって視聴された回数（ｎは任意の自然数））に基づいて、かかる複数の動画像（例えば、第１〜第ｎの動画像）の中から、各ユーザ属性（例えば、「女性」）に関連付けられたユーザに推奨される動画像を特定してもよい。例えば、提供装置１０は、所定のユーザ属性に対応する視聴回数が閾値を超える動画像を、かかる所定のユーザ属性に関連付けられたユーザに推奨される動画像として特定してもよい。このようにして、提供装置１０は、端末装置１００のユーザのユーザ属性と同一のユーザ属性に関連付けられたユーザが頻繁に視聴する動画像を、推奨される動画像として特定することができる。
【００５５】
上述の他のユーザが頻繁に視聴する動画像は、ユーザ属性のカバレッジに基づいて特定されてもよい。この場合、提供装置１０は、例えば、全てのユーザの数に対するかかる他のユーザの数の割合であるカバレッジに基づいて、かかる他のユーザのユーザ属性に対応する視聴回数に重みを割り当ててもよい。例えば、提供装置１０は、かかる他のユーザのユーザ属性に対応する視聴回数に、カバレッジに応じた重みを乗算してもよい。一例では、重みは、カバレッジの大きさに反比例する。提供装置１０は、例えば、重みを割り当てられた視聴回数が閾値を超える動画像を、上述の他のユーザが頻繁に視聴する動画像として特定してもよい。
【００５６】
取得部１４１は、コンテンツに含まれるＵＲＬ（Uniform  Resource  Locator）であって、動画像を取得するためのＵＲＬに基づいて、動画像の配信要求を、配信装置２０に送信する。そして、取得部１４１は、配信要求に対する応答として、配信装置２０から動画像を受信する。
【００５７】
取得部１４１は、検出部１４２によって動画像のカテゴリを示すボタンにカーソルを重ねる操作が検出された場合に、非同期通信により、かかる動画像のカテゴリを示すカテゴリ情報を、提供装置１０に送信してもよい。そして、取得部１４１は、かかる動画像のカテゴリに対応する動画像サムネイルを含む第２コンテンツを、提供装置１０から受信してもよい。
【００５８】
（検出部１４２）
検出部１４２は、例えば、ＣＰＵやＭＰＵ等によって、上述の制御情報がＲＡＭを作業領域として実行されることにより実現される。すなわち、検出部１４２は、上述の検出手順により実現される。
【００５９】
検出部１４２は、取得部１４１によって取得された制御情報に従って、端末装置１００のユーザがアクションを行った場合に発生するイベントを検出する。一例では、検出部１４２は、制御情報に含まれるイベントハンドラによって、イベントを検出する。ユーザのアクションは、例えば、コンテンツ内のオブジェクトに対する操作である。一例では、ユーザのアクションは、オブジェクトのクリック、オブジェクトに対するフォーカス、オブジェクト上のホバー等の操作である。端末装置１００にタッチパネルが採用される場合には、ユーザのアクションは、タップ、ロングタップ、スワイプ等の操作であってもよい。
【００６０】
検出部１４２は、第１コンテンツ（例えば、図２のコンテンツＣ１）内のオブジェクトに対する操作が検出されたか否かを判定する。検出部１４２は、第１コンテンツ内のオブジェクトに対する操作が検出されていない間、第１コンテンツ内のオブジェクトに対する操作が検出されたか否かを判定する。
【００６１】
検出部１４２は、第１コンテンツ内のオブジェクトに対する操作を検出する。例えば、検出部１４２は、検索ボックスであるオブジェクト（例えば、図２の検索ボックスＳＢ１）に対する操作を検出する。より具体的には、検出部１４２は、検索ボックスを文字入力が可能な状態にする操作を検出する。
【００６２】
検出部１４２は、第１コンテンツ内のオブジェクトに対する選択操作を検出する。一例では、端末装置１００のユーザが検索ボックスをカーソルでクリックした場合に、検出部１４２は、検索ボックスのクリックイベントを検出する。
【００６３】
検出部１４２は、動画像配信サーバから配信される動画像が提供される第１コンテンツ内のオブジェクトに対する操作を検出する。例えば、検出部１４２は、配信装置２０から配信される動画像が提供されるコンテンツ内のオブジェクトに対する操作を検出する。より具体的には、端末装置１００のユーザによるオブジェクトに対する操作を検出する。
【００６４】
検出部１４２は、オブジェクトにカーソルを重ねる操作である選択操作を検出してもよい。例えば、検出部１４２は、オブジェクトにフォーカスを当てるフォーカス操作を検出してもよい。また、例えば、検出部１４２は、オブジェクトにカーソルをホバーする操作を検出してもよい。言い換えると、検出部１４２は、オブジェクトにマウスオーバーする操作を検出してもよい。
【００６５】
検出部１４２は、第１コンテンツ内のリンク領域に対する操作を検出してもよい。例えば、検出部１４２は、所定のカテゴリの動画像の一覧が表示されるコンテンツへのリンクが張られたリンク領域に対する操作を検出する。例えば、検出部１４２は、リンク領域にカーソルを重ねる操作を検出する。このようなリンク領域は、例えば、動画像のカテゴリを示すボタン（例えば、図２のカテゴリボタンＣＢ１）、テキスト、または画像である。
【００６６】
検出部１４２は、カーソルが動画プレイヤの表示領域から遠ざかるように、カーソルを移動させるカーソル操作を検出してもよい。
【００６７】
（表示部１４３）
表示部１４３は、例えば、ＣＰＵやＭＰＵ等によって、上述の制御情報がＲＡＭを作業領域として実行されることにより実現される。すなわち、表示部１４３は、上述の表示手順により実現される。
【００６８】
表示部１４３は、取得部１４１によって取得された制御情報に従って、コンテンツを表示する。一例では、制御情報に含まれるイベントハンドラによって、コンテンツ内のオブジェクトに対する操作を、かかるコンテンツまたは他のコンテンツの表示態様に反映させる。
【００６９】
表示部１４３は、検出部１３２によって第１コンテンツ（例えば、図２のコンテンツＣ１）内のオブジェクトに対する操作が検出された場合に、動画像のサムネイルを含む第２コンテンツ（例えば、図２のコンテンツＣ２）を第１コンテンツと重ねて表示する。例えば、表示部１４３は、検出部１３２によって、検索ボックスであるオブジェクト（例えば、図２の検索ボックスＳＢ１）に対する操作が検出された場合に、検索ボックスによる検索の検索候補である動画像のサムネイルを含む第２コンテンツを表示する。
【００７０】
表示部１４３は、第１コンテンツ内のオブジェクトに対応する位置に第２コンテンツを第１コンテンツと重ねて表示してもよい。例えば、表示部１４３は、オブジェクトに隣接する位置に第２コンテンツを第１コンテンツと重ねて表示する。一例では、表示部１４３は、第２コンテンツを、検索ボックスであるオブジェクトのドロップダウンリストとして、第１コンテンツに重ねて表示する。
【００７１】
表示部１４３は、動画像配信サーバから配信される動画像のサムネイルを含む第２コンテンツを第１コンテンツと重ねて表示してもよい。例えば、表示部１４３は、端末装置１００のユーザのユーザ情報に基づいて提案される動画像のサムネイルを含む第２コンテンツを第１コンテンツと重ねて表示する。より具体的には、表示部１４３は、取得部１４１によって提供装置１０から受信された第２コンテンツであって、端末装置１００のユーザのユーザ情報に基づいて特定された動画像のサムネイルを含む第２コンテンツを、第１コンテンツと重ねて表示する。
【００７２】
表示部１４３は、検出部１４２によってリンク領域に対する操作が検出された場合に、リンク領域に隣接する位置に第２コンテンツを第１コンテンツと重ねて表示してもよい。
【００７３】
表示部１４３は、検出部１４２によって動画像のカテゴリを示すオブジェクトにカーソルを重ねる操作が検出された場合に、かかるカテゴリに対応する動画像サムネイルを含む第２コンテンツを、第１コンテンツと重ねて表示してもよい。例えば、表示部１４３は、取得部１４１によって受信されたかかる第２コンテンツを、第１コンテンツと重ねて表示してもよい。
【００７４】
表示部１４３は、検出部１４２によって、カーソルが動画プレイヤの表示領域から遠ざかるように、カーソルを移動させるカーソル操作が検出された場合に、第２コンテンツを第１コンテンツと重ねて表示してもよい。例えば、表示部１４３は、第１コンテンツの下端または上端に、第２コンテンツを第１コンテンツと重ねて表示する。表示部１４３は、カーソルに隣接する位置に、第２コンテンツを、ポップアップ画面として表示してもよい。
【００７５】
表示部１４３は、動画像のサムネイルを含む画像である第２コンテンツを第１コンテンツと重ねて表示してもよい。表示部１４３は、動画像のサムネイルのカルーセルである第２コンテンツを第１コンテンツと重ねて表示してもよい。表示部１４３は、動画像に対応するＧＩＦ（Graphics  Interchange  Format）動画を含む第２コンテンツを第１コンテンツと重ねて表示してもよい。
【００７６】
表示部１４３は、端末装置１００のユーザのユーザ情報と、選択されたオブジェクトとに基づいて提案される動画像のサムネイルを含む第２コンテンツを、第１コンテンツと重ねて表示してもよい。
【００７７】
〔５．表示処理のフロー〕
次に、実施形態に係る端末装置１００による表示処理の手順について説明する。図４は、実施形態に係る端末装置１００による表示処理手順を示すフローチャートである。
【００７８】
図４に示すように、はじめに、端末装置１００は、第１コンテンツ内のオブジェクトに対する操作が検出されたか否かを判定する（ステップＳ１０１）。そして、端末装置１００は、第１コンテンツ内のオブジェクトに対する操作が検出されていない間、第１コンテンツ内のオブジェクトに対する操作が検出されたか否かを判定する（ステップＳ１０１；Ｎｏ）。一方、端末装置１００は、第１コンテンツ内のオブジェクトに対する操作が検出された場合に（ステップＳ１０１；Ｙｅｓ）、動画像のサムネイルを含む第２コンテンツを第１コンテンツと重ねて表示する（ステップＳ１０２）。
【００７９】
例えば、端末装置１００は、検索ボックスであるオブジェクトに対する操作が検出された場合に、検索ボックスによる検索の検索候補である動画像のサムネイルを含む第２コンテンツを表示する。一例では、端末装置１００は、検索ボックスのクリックイベントを検出したことに応じて、動画像のサムネイルを含む第２コンテンツを、検索ボックスのドロップダウンリストとして、第１コンテンツに重ねて表示する。
【００８０】
〔６．変形例〕
上述の実施形態に係る端末装置１００は、上記の実施形態以外にも、種々の異なる形態で実施されてよい。そこで、以下では、上記の端末装置１００の他の実施形態について説明する。
【００８１】
〔６−１．非表示の第２コンテンツ〕
上記実施形態では、取得部１４１は、第１コンテンツ（例えば、図２のコンテンツＣ１）内のオブジェクトに対する操作が検出された場合に、第２コンテンツ（例えば、図２のコンテンツＣ２）の送信要求を提供装置１０に送信しているが、これに限定されるものではない。
【００８２】
他の実施形態では、はじめに、取得部１４１は、端末装置１００のユーザの操作に従って、コンテンツの送信要求を、提供装置１０に送信する。取得部１４１は、端末装置１００のユーザを識別する識別情報とともに、コンテンツの送信要求を、提供装置１０に送信してもよい。
【００８３】
他の実施形態では、次いで、取得部１４１は、動画像のサムネイルを含む第２コンテンツとともに、第１コンテンツを取得する。例えば、取得部１４１は、動画像のサムネイルを含む第２コンテンツとともに、第１コンテンツを提供装置１０から受信する。
【００８４】
取得部１４１は、端末装置１００のユーザのユーザ情報に基づいて特定された動画像のサムネイルを含む第２コンテンツとともに、第１コンテンツを提供装置１０から受信してもよい。この点に関し、提供装置１０は、端末装置１００から、第１コンテンツの送信要求と、端末装置１００のユーザを識別する識別情報とを受信したことに応じて、端末装置１００のユーザのユーザ情報（例えば、動画像の視聴履歴）に基づいて、ユーザの嗜好に適した動画像を特定する。そして、提供装置１０は、特定された動画像のサムネイルを含む第２コンテンツとともに、第１コンテンツを端末装置１００に送信する。このようにして、取得部１４１は、ユーザ情報に基づいて特定された動画像のサムネイルを含む第２コンテンツとともに、第１コンテンツを受信することができる。
【００８５】
その後、表示部１４３は、取得部１４１によって動画像のサムネイルを含む第２コンテンツが取得された場合に、取得された第２コンテンツを非表示にする。この場合、第２コンテンツの状態は、非表示状態である。そして、表示部１４３は、検出部１３２によって第１コンテンツ内のオブジェクトに対する操作が検出された場合に、第２コンテンツの状態を、非表示状態から表示状態に変更することで、第２コンテンツを表示する。
【００８６】
〔６−２．その他〕
また、上記実施形態において説明した各処理のうち、自動的に行われるものとして説明した処理の一部を手動的に行うこともできる。あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００８７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００８８】
〔６−３．ハードウェア構成〕
また、上述してきた実施形態に係る端末装置１００は、例えば図５に示すような構成のコンピュータ１０００によって実現される。図５は、ハードウェア構成の一例を示す図である。コンピュータ１０００は、出力装置１０１０、入力装置１０２０と接続され、演算装置１０３０、一次記憶装置１０４０、二次記憶装置１０５０、出力ＩＦ（Interface）１０６０、入力ＩＦ１０７０、ネットワークＩＦ１０８０がバス１０９０により接続された形態を有する。
【００８９】
演算装置１０３０は、一次記憶装置１０４０や二次記憶装置１０５０に格納されたプログラムや入力装置１０２０から読み出したプログラム等に基づいて動作し、各種の処理を実行する。一次記憶装置１０４０は、ＲＡＭ等、演算装置１０３０が各種の演算に用いるデータを一時的に記憶するメモリ装置である。また、二次記憶装置１０５０は、演算装置１０３０が各種の演算に用いるデータや、各種のデータベースが登録される記憶装置であり、ＲＯＭ(Read  Only  Memory)、ＨＤＤ、フラッシュメモリ等により実現される。
【００９０】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現される。また、入力ＩＦ１０７０は、マウス、キーボード、およびスキャナ等といった各種の入力装置１０２０から情報を受信するためのインタフェースであり、例えば、ＵＳＢ等により実現される。
【００９１】
なお、入力装置１０２０は、例えば、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置であってもよい。また、入力装置１０２０は、ＵＳＢメモリ等の外付け記憶媒体であってもよい。
【００９２】
ネットワークＩＦ１０８０は、ネットワークＮを介して他の機器からデータを受信して演算装置１０３０へ送り、また、ネットワークＮを介して演算装置１０３０が生成したデータを他の機器へ送信する。
【００９３】
演算装置１０３０は、出力ＩＦ１０６０や入力ＩＦ１０７０を介して、出力装置１０１０や入力装置１０２０の制御を行う。例えば、演算装置１０３０は、入力装置１０２０や二次記憶装置１０５０からプログラムを一次記憶装置１０４０上にロードし、ロードしたプログラムを実行する。
【００９４】
例えば、コンピュータ１０００が端末装置１００として機能する場合、コンピュータ１０００の演算装置１０３０は、一次記憶装置１０４０上にロードされたプログラムを実行することにより、制御部１４０の機能を実現する。
【００９５】
〔７．効果〕
上述してきたように、実施形態に係る端末装置１００は、検出部１４２と、表示部１４３とを有する。検出部１４２は、第１コンテンツ内のオブジェクトに対する操作を検出する。表示部１４３は、検出部１４２によってオブジェクトに対する操作が検出された場合に、動画像のサムネイルを含む第２コンテンツを第１コンテンツと重ねて表示する。
【００９６】
また、実施形態に係る端末装置１００において、検出部１４２は、検索ボックスであるオブジェクトに対する操作を検出する。また、実施形態に係る端末装置１００において、表示部１４３は、検索ボックスによる検索の検索候補である動画像のサムネイルを含む第２コンテンツを表示する。
【００９７】
また、実施形態に係る端末装置１００において、検出部１４２は、検索ボックスを文字入力が可能な状態にする操作を検出する。
【００９８】
また、実施形態に係る端末装置１００において、検出部１４２は、第１コンテンツ内のオブジェクトに対する選択操作である操作を検出する。
【００９９】
また、実施形態に係る端末装置１００において、検出部１４２は、第１コンテンツ内のオブジェクトにカーソルを重ねる操作である選択操作を検出する。
【０１００】
また、実施形態に係る端末装置１００において、検出部１４２は、第１コンテンツ内のオブジェクトに対応する位置に第２コンテンツを第１コンテンツと重ねて表示する。
【０１０１】
また、実施形態に係る端末装置１００において、検出部１４２は、第１コンテンツ内のオブジェクトに隣接する位置に第２コンテンツを第１コンテンツと重ねて表示する。
【０１０２】
また、実施形態に係る端末装置１００において、検出部１４２は、動画像配信サーバから配信される動画像が提供される第１コンテンツ内のオブジェクトに対する操作を検出する。また、実施形態に係る端末装置１００において、表示部１４３は、動画像配信サーバから配信される動画像のサムネイルを含む第２コンテンツを第１コンテンツと重ねて表示する。
【０１０３】
また、実施形態に係る端末装置１００において、検出部１４２は、ユーザによる第１コンテンツ内のオブジェクトに対する操作を検出する。また、実施形態に係る端末装置１００において、表示部１４３は、ユーザのユーザ情報に基づいて提案される動画像のサムネイルを含む第２コンテンツを前記第１コンテンツと重ねて表示する。
【０１０４】
上述した各処理により、端末装置１００は、ユーザが検索キーワードを思い浮かぶことができない場合においても、ユーザが、ユーザの嗜好に適した動画像を検索することを可能にする。
【０１０５】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１０６】
また、上述してきた「部（section、module、unit）」は、「手段」や「回路」などに読み替えることができる。例えば、取得部は、取得手段や取得回路に読み替えることができる。
【符号の説明】
【０１０７】
１  ネットワークシステム
１０  提供装置
２０  配信装置
１００  端末装置
１１０  通信部
１２０  入力部
１３０  出力部
１４０  制御部
１４１  取得部
１４２  検出部
１４３  表示部
【図１】
2020042413.tif 000003
【図２】
2020042413.tif 000004
【図３】
2020042413.tif 000005
【図４】
2020042413.tif 000006
【図５】
2020042413.tif 000007
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
第１コンテンツ内のオブジェクトであって、検索ボックスであるオブジェクトに対する操作を検出する検出手順と、
前記検出手順によって前記操作が検出された場合に、前記検索ボックスによる検索の検索候補である動画像のサムネイルを含む第２コンテンツを前記第１コンテンツと重ねて表示する表示手順と、
をコンピュータに実行させることを特徴とする表示プログラム。
【請求項２】
前記検出手順は、
前記検索ボックスを文字入力が可能な状態にする前記操作を検出する
ことを特徴とする請求項１に記載の表示プログラム。
【請求項３】
動画像配信サーバから配信される動画像が提供される第１コンテンツ内のオブジェクトに対する操作を検出する検出手順と、
前記検出手順によって前記操作が検出された場合に、前記動画像配信サーバから配信される動画像のサムネイルを含む第２コンテンツを前記第１コンテンツと重ねて表示する表示手順と、
をコンピュータに実行させることを特徴とする表示プログラム。
【請求項４】
前記検出手順は、
前記オブジェクトに対する選択操作である前記操作を検出する
ことを特徴とする請求項１〜３のうちいずれか１つに記載の表示プログラム。
【請求項５】
前記検出手順は、
前記オブジェクトにカーソルを重ねる操作である前記選択操作を検出する
ことを特徴とする請求項４に記載の表示プログラム。
【請求項６】
前記表示手順は、
前記オブジェクトに対応する位置に前記第２コンテンツを前記第１コンテンツと重ねて表示する
ことを特徴とする請求項１〜５のうちいずれか１つに記載の表示プログラム。
【請求項７】
前記表示手順は、
前記オブジェクトに隣接する前記位置に前記第２コンテンツを前記第１コンテンツと重ねて表示する
ことを特徴とする請求項６に記載の表示プログラム。
【請求項８】
前記検出手順は、
ユーザによる前記操作を検出し、
前記表示手順は、
前記ユーザのユーザ情報に基づいて提案される動画像のサムネイルを含む前記第２コンテンツを前記第１コンテンツと重ねて表示する
ことを特徴とする請求項１〜７のうちいずれか１つに記載の表示プログラム。
【請求項９】
第１コンテンツ内のオブジェクトであって、検索ボックスであるオブジェクトに対する操作を検出する検出部と、
前記検出部によって前記操作が検出された場合に、前記検索ボックスによる検索の検索候補である動画像のサムネイルを含む第２コンテンツを前記第１コンテンツと重ねて表示する表示部と、
を備えることを特徴とする表示装置。
【請求項１０】
動画像配信サーバから配信される動画像が提供される第１コンテンツ内のオブジェクトに対する操作を検出する検出部と、
前記検出部によって前記操作が検出された場合に、前記動画像配信サーバから配信される動画像のサムネイルを含む第２コンテンツを前記第１コンテンツと重ねて表示する表示部と、
を備えることを特徴とする表示装置。
【請求項１１】
表示装置が実行する表示方法であって、
第１コンテンツ内のオブジェクトであって、検索ボックスであるオブジェクトに対する操作を検出する検出工程と、
前記検出工程によって前記操作が検出された場合に、前記検索ボックスによる検索の検索候補である動画像のサムネイルを含む第２コンテンツを前記第１コンテンツと重ねて表示する表示工程と、
を含むことを特徴とする表示方法。
【請求項１２】
表示装置が実行する表示方法であって、
動画像配信サーバから配信される動画像が提供される第１コンテンツ内のオブジェクトに対する操作を検出する検出工程と、
前記検出工程によって前記操作が検出された場合に、前記動画像配信サーバから配信される動画像のサムネイルを含む第２コンテンツを前記第１コンテンツと重ねて表示する表示工程と、
を含むことを特徴とする表示方法。